(57)【要約】      （修正有）【課題】同一の給水圧でより多くの湯水の流量を確保することができ、装置全体を小型化することができる湯水混合バルブ装置を提供する。【解決手段】本発明の湯水混合バルブ装置は、次側通湯用開口部１２ａと、一次側通水用開口部１２ｂと、これらの開口部に隣接するように形成されて湯水を通過させる二次側開口部１２ｃと、を備えた固定弁体１２と、この固定弁体の一次側通湯用開口部及び一次側通水用開口部を開閉し、開弁時に固定弁体の一次側通湯用開口部及び／又は一次側通水用開口部と二次側開口部とを連通させる湯水連通開口部１０ａを備えた可動弁体１０と、この可動弁体の開閉操作を行うと共に、湯水の温度調節を行う操作レバー部材と、を有し、固定弁体の二次側開口部は、固定弁体の平面視において外側方向の一部が開放されるように固定弁体の外周の一部を切り欠いた形状に形成されている。【選択図】図１４
2014015980.tif 000002
【特許請求の範囲】
【請求項１】
湯水混合水栓に組み込まれ、給湯源から供給される湯と給水源から供給される水とを混合した湯水を吐止水する湯水混合バルブ装置であって、
湯水混合水栓の吐水口の上流側に設けられたケーシングと、
このケーシング内に固定された固定弁体であって、給湯源から供給された湯が通過する一次側通湯用開口部と、給水源から供給された水が通過する一次側通水用開口部と、上記一次側通湯用開口部及び上記一次側通水用開口部に隣接するように形成されて上記一次側通湯用開口部及び上記一次側通水用開口部を通過した湯水を通過させる二次側開口部と、を備えた上記固定弁体と、
上記ケーシング内に配置されて上記固定弁体に対して摺動することにより上記固定弁体の一次側通湯用開口部及び一次側通水用開口部を開閉する可動弁体であって、開弁時に上記固定弁体の上記一次側通湯用開口部及び／又は上記一次側通水用開口部と上記二次側開口部とを連通させると共に、湯と水を混合させる湯水混合室を形成する連通開口部を備えた上記可動弁体と、
上記可動弁体の開閉操作を行うと共に、上記湯水混合室で混合される湯と水の割合を調整して上記湯水混合水栓の吐水口から吐水される湯水の温度調節を行う操作部と、を有し、
上記固定弁体の二次側開口部は、上記固定弁体の平面視において外側方向の一部が開放されるように上記固定弁体の外周の一部を切り欠いた形状に形成されていることを特徴とする湯水混合バルブ装置。
【請求項２】
更に、上記可動弁体の連通開口部に沿って取り付けられた網部材を有する請求項１記載の湯水混合バルブ装置。
【発明の詳細な説明】
【技術分野】
【０００１】
本発明は、湯水混合バルブ装置に係り、特に、湯水混合水栓に組み込まれ、給湯源から供給される湯と給水源から供給される水とを混合した湯水を吐止水する湯水混合バルブ装置に関する。
【背景技術】
【０００２】
従来から、湯水混合水栓に組み込まれ、給湯源から供給される湯と給水源から供給される水とを混合した湯水を吐止水する湯水混合バルブ装置として、例えば、特許文献１に記載されているように、いわゆる、シングルレバー式の湯水混合水栓の内部に組み込まれ、操作レバーが水栓の正面位置にある状態で水のみを吐水することができるようになっているものが知られている。
このような湯水混合バルブ装置では、給湯源から供給された湯が通過する一次側通湯用開口部と、給水源から供給された水が通過する一次側通水用開口部と、一次側通湯用開口部及び一次側通水用開口部に隣接するように形成され、これら一次側通湯用開口部及び一次側通水用開口部のそれぞれを通過した湯水を通過させる二次側開口部と、を備えた固定弁体を有する。また、固定弁体の上方には、固定弁体の一次側通湯用開口部及び一次側通水用開口部を開閉する可動弁体が摺動可能に設けられている。さらに、この可動弁体は、開弁時に固定弁体の一次側通湯用開口部及び／又は一次側通水用開口部と二次側開口部とを連通させる連通開口部を備えており、可動弁体が開弁している状態では、固定弁体の一次側通湯用開口部及び一次側通水用開口部のそれぞれを通過した湯水が、可動弁体の連通開口部を経て固定弁体の二次側開口部に流入し、湯水混合水栓の吐水口へ流れるようになっている。さらに、これらの固定弁体の一次側通湯用開口部、一次側通水用開口部及び二次側開口部と可動弁体の連通開口部のそれぞれは、互いに独立して閉曲した開口をそれぞれ形成している。
【先行技術文献】
【特許文献】
【０００３】
【特許文献１】特開２０１０−１８５５６９号公報
【発明の概要】
【発明が解決しようとする課題】
【０００４】
しかしながら、上述した従来の湯水混合バルブ装置においては、装置の小型化の要請に応じて、装置内部のレイアウト上の制約により固定弁体や可動弁体の大きさ（例えば、横断面寸法や厚み）を小さく設計する必要があり、固定弁体や可動弁体のそれぞれの開口部の開口面積についても相対的に小さく設計することも必要となる。
また、例えば、操作レバーを使用頻度が高い湯水混合水栓の正面側のほぼ中央の位置に設定した状態で水のみを吐水することができるようにするためには、湯水混合水栓の正面位置で固定弁体の一次側通湯用開口部を閉鎖した状態を維持し、一次側通水用開口部のみを開放させた状態にする必要がある。その対策として、固定弁体や可動弁体のそれぞれの開口部の開口面積を小さく設計する等の工夫が必要となるが、これらの開口面積を同一の給水圧の条件下で小さく設計する程、湯水が開口部を通過する際の圧力損失が大きくなるため、吐水可能な流量が減少し、十分な湯水の流量を確保し難くなるという問題もある。
したがって、シングルレバー式の湯水混合水栓の内部に組み込まれる湯水混合バルブ装置においては、いかに装置自体の大きさをコンパクトに設計して十分な湯水の流量を確保しつつ、例えば、操作レバーを使用頻度が高い湯水混合水栓の正面側の中央の位置に設定した場合においても、いかに水の吐水量を多くするのかが従来から要請されている課題となっている。
【０００５】
そこで、本発明は、上述した従来技術の問題を解決するためになされたものであり、同一の給水圧でより多くの湯水の流量を確保することができ、装置全体を小型化することができる湯水混合バルブ装置を提供することを目的としている。
【課題を解決するための手段】
【０００６】
上記の目的を達成するために、本発明は、湯水混合水栓に組み込まれ、給湯源から供給される湯と給水源から供給される水とを混合した湯水を吐止水する湯水混合バルブ装置であって、湯水混合水栓の吐水口の上流側に設けられたケーシングと、このケーシング内に固定された固定弁体であって、給湯源から供給された湯が通過する一次側通湯用開口部と、給水源から供給された水が通過する一次側通水用開口部と、上記一次側通湯用開口部及び上記一次側通水用開口部に隣接するように形成されて上記一次側通湯用開口部及び上記一次側通水用開口部を通過した湯水を通過させる二次側開口部と、を備えた上記固定弁体と、上記ケーシング内に配置されて上記固定弁体に対して摺動することにより上記固定弁体の一次側通湯用開口部及び一次側通水用開口部を開閉する可動弁体であって、開弁時に上記固定弁体の上記一次側通湯用開口部及び／又は上記一次側通水用開口部と上記二次側開口部とを連通させると共に、湯と水を混合させる湯水混合室を形成する連通開口部を備えた上記可動弁体と、上記可動弁体の開閉操作を行うと共に、上記湯水混合室で混合される湯と水の割合を調整して上記湯水混合水栓の吐水口から吐水される湯水の温度調節を行う操作部と、を有し、上記固定弁体の二次側開口部は、上記固定弁体の平面視において外側方向の一部が開放されるように上記固定弁体の外周の一部を切り欠いた形状に形成されていることを特徴としている。
このように構成された本発明においては、操作部により可動弁体を開弁させた状態では、固定弁体の一次側通湯用開口部及び一次側通水用開口部のそれぞれを通過した湯水は、可動弁体の連通開口部を経て固定弁体の二次側開口部に流入し、湯水混合水栓の吐水口へ流れる。このとき、固定弁体の二次側開口部が、固定弁体の平面視において外側方向の一部が開放されるように固定弁体の外周の一部を切り欠いた形状に形成されていることにより、固定弁体の二次側開口部の開口断面積（流路断面積）をより大きく設定することができるため、固定弁体の二次側開口部を湯水が通過する際の圧力損失を低減させることができる。したがって、固定弁体の二次側開口部が固定弁体の外周の一部を切り欠いた形状とは異なる閉曲した開口を形成している場合に比べて、同一の給水圧でより多くの湯水の流量を確保することができ、装置全体を小型化することができる。
【０００７】
本発明において、好ましくは、更に、上記可動弁体の連通開口部に沿って取り付けられた網部材を有する。
このように構成された本発明においては、操作部により可動弁体を開弁させた状態では、固定弁体の一次側通湯用開口部及び一次側通水用開口部のそれぞれを通過した湯水は、可動弁体の連通開口部に沿って取り付けられた網部材を通過し、可動弁体の連通開口部から固定弁体の二次側開口部に流入するが、この湯水が網部材を通過する際に、湯水が整流化される。したがって、固定弁体の二次側開口部を湯水が通過する際の圧力損失を低減させることができるため、同一の給水圧でより多くの湯水の流量を確保することができ、装置全体を小型化することができる。また、網部材が取り付けられていない場合に比べて、通水中に生ずるキャビテーションを抑制することができ、このようなキャビテーションによって生ずる騒音を抑制することができる。
【発明の効果】
【０００８】
本発明の湯水混合水栓装置によれば、同一の給水圧でより多くの湯水の流量を確保することができ、装置全体を小型化することができる。
【図面の簡単な説明】
【０００９】
【図１】本発明の一実施形態による湯水混合バルブ装置が組み込まれた湯水混合水栓装置を斜め前方から見た概略斜視図である。
【図２】本発明の一実施形態による湯水混合バルブ装置が組み込まれた湯水混合水栓装置の概略平面図であり、湯のみを吐水させる湯側操作領域、水のみを吐水させる水側操作領域、及び混合湯水を吐水させる湯水混合操作領域を概略的に説明した図である。
【図３】本発明の一実施形態による湯水混合バルブ装置が組み込まれた湯水混合水栓装置を示す正面断面図である。
【図４】本発明の一実施形態による湯水混合バルブ装置を示す分解斜視図である。
【図５】本発明の一実施形態による湯水混合バルブ装置の下側ケーシング部材と固定弁体を示す平面図である。
【図６】本発明の一実施形態による湯水混合バルブ装置の可動弁体と可動弁体ガイド部材を示す平面図である。
【図７】本発明の一実施形態による湯水混合バルブ装置を示す側面図であり、操作レバー部材を水側操作領域内の湯水混合操作領域側の操作位置に設定して可動弁体を閉弁させた状態を示す。
【図８】図７のＶＩＩＩ−ＶＩＩＩ線に沿った断面図である。
【図９】図７のＩＸ−ＩＸ線に沿った断面図である。
【図１０】図７のＸ−Ｘ線に沿った断面図である。
【図１１】本発明の一実施形態による湯水混合バルブ装置を示す側面図であり、操作レバー部材を水側操作領域内の湯水混合操作領域側の操作位置に設定して可動弁体を開弁させた状態を示す。
【図１２】図１１のＸＩＩ−ＸＩＩ線に沿った断面図である。
【図１３】図１１のＸＩＩＩ−ＸＩＩＩ線に沿った断面図である。
【図１４】図１１のＸＩＶ−ＸＩＶ線に沿った断面図である。
【図１５】本発明の一実施形態による湯水混合バルブ装置を示す側面図であり、操作レバー部材を水側操作領域内の最も水側の操作位置に設定して可動弁体を閉弁させた状態を示す。
【図１６】図１５のＸＶＩ−ＸＶＩ線に沿った断面図である。
【図１７】図１５のＸＶＩＩ−ＸＶＩＩ線に沿った断面図である。
【図１８】図１５のＸＶＩＩＩ−ＸＶＩＩＩ線に沿った断面図である。
【図１９】本発明の一実施形態による湯水混合バルブ装置を示す側面図であり、操作レバー部材を水側操作領域内の最も水側の操作位置に設定して可動弁体を開弁させた状態を示す。
【図２０】図１９のＸＶＩＩＩ−ＸＶＩＩＩ線に沿った断面図である。
【図２１】図１９のＸＸＩ−ＸＸＩ線に沿った断面図である。
【図２２】図１９のＸＸＩＩ−ＸＸＩＩ線に沿った断面図である。
【図２３】本発明の一実施形態による湯水混合バルブ装置を示す側面図であり、操作レバー部材を湯側操作領域内の最も湯側の操作位置に設定して可動弁体を閉弁させた状態を示す。
【図２４】図２３のＸＸＩＶ−ＸＸＩＶ線に沿った断面図である。
【図２５】図２３のＸＸＶ−ＸＸＶ線に沿った断面図である。
【図２６】図２３のＸＸＶＩ−ＸＸＶＩ線に沿った断面図である。
【図２７】本発明の一実施形態による湯水混合バルブ装置を示す側面図であり、操作レバー部材を湯側操作領域内の最も湯側の操作位置に設定して可動弁体を開弁させた状態を示す。
【図２８】図２７のＸＸＶＩＩＩ−ＸＸＶＩＩＩ線に沿った断面図である。
【図２９】図２７のＸＸＩＸ−ＸＸＩＸ線に沿った断面図である。
【図３０】図２７のＸＸＸ−ＸＸＸ線に沿った断面図である。
【発明を実施するための形態】
【００１０】
以下、添付図面を参照して本発明の一実施形態による湯水混合水栓装置について説明する。
まず、図１は、本発明の一実施形態による湯水混合バルブ装置が組み込まれた湯水混合水栓装置を斜め前方から見た概略斜視図である。
図１に示すように、本発明の一実施形態による湯水混合バルブ装置１が組み込まれた湯水混合水栓装置２は、給湯源（図示せず）から供給される湯と給水源（図示せず）から供給される水を混合し、１つの操作ハンドル４を操作することにより湯水の流量と温度を調整した湯水をスパウト６の吐水口６ａから吐止水することができる、いわゆる、シングルレバー式の湯水混合水栓装置である。
【００１１】
すなわち、湯水混合水栓装置２は、台所のシンク又は洗面台のカウンター８上に配置され、操作ハンドル４を上方（図１に示されている矢印「開」の方向）に回動操作した場合には、スパウト６の吐水口６ａから吐出される湯水を吐水状態に設定することができるようになっており、操作ハンドル４をより上方に回動させた位置に設定する程、スパウト６の吐水口６ａから吐出される湯水の流量を大きく設定することができるようになっている。
一方、操作ハンドル４を最も下方（図１に示されている矢印「閉」の方向）の位置に回動操作した場合には、スパウト６の吐水口６ａから吐出される湯水を止水状態に設定することができるようになっている。
【００１２】
また、操作ハンドル４を湯水混合水栓装置１の鉛直方向の中心軸線Ａ１を中心に図１の矢印「Ｃ」の水平方向（図１に示されている右側水平方向）に回動操作した場合には、スパウト６の吐水口６ａから吐出される湯水の温度を低温側に設定することができるようになっている。
一方、操作ハンドル４を中心軸線Ａ１を中心に図１の矢印「Ｈ」の水平方向（図１に示されている左側水平方向）に回動操作した場合には、スパウト６の吐水口６ａから吐出される湯水の温度を高温側に設定することができるようになっている。
【００１３】
つぎに、図２は、本発明の一実施形態による湯水混合バルブ装置が組み込まれた湯水混合水栓装置の概略平面図であり、湯のみを吐水させる湯側操作領域、水のみを吐水させる水側操作領域、及び混合湯水を吐水させる湯水混合操作領域を概略的に説明した図であり、図３は、本発明の一実施形態による湯水混合バルブ装置が組み込まれた湯水混合水栓装置を示す正面断面図である。
【００１４】
図２に示すように、操作ハンドル４が水平方向に回動操作される操作領域Ｒは、湯側操作領域Ｒ１、水側操作領域Ｒ２及び湯水混合操作領域Ｒ３からなる。
湯側操作領域Ｒ１は、操作ハンドル４を湯側（図１及び図２に示す矢印Ｈの方向）に回動操作した操作位置Ｐ１にあるときに、詳細は後述する湯水混合バルブ装置１の可動弁体１０が、詳細は後述する湯水混合バルブ装置１の固定弁体１２の一次側通湯用開口部１２ａのみを開放し、固定弁体１２の一次側通湯用開口部１２ａから、可動弁体１０の湯水混合室を形成する湯水連通開口部１０ａへ湯のみを流入させて湯水混合水栓装置２の吐水口６ａから湯のみを吐水させる操作領域である。
【００１５】
また、水側操作領域Ｒ２は、操作ハンドル４を水側（図１及び図２に示す矢印Ｃの方向）に回動操作した操作位置Ｐ２にあるときに、可動弁体１０が固定弁体１２の一次側通水用開口部１２ｂのみを開放して固定弁体１２の一次側通水用開口部１２ｂから可動弁体１０の湯水連通開口部１０ａへ水のみを流入させて湯水混合水栓装置２の吐水口６ａから水のみを吐水させる操作領域である。
【００１６】
さらに、湯水混合操作領域Ｒ３は、操作ハンドル４を湯水混合水栓装置２の正面側のほぼ中央の操作位置Ｐ３から湯側操作領域Ｒ１に向って湯側（図１及び図２に示す矢印Ｈの方向）に回動操作したときに、湯側操作領域Ｒ１と水側操作領域Ｒ２との間に位置し且つ可動弁体１０が固定弁体１２の一次側通湯用開口部１２ａ及び一次側通水用開口部１２ｂを開放し、固定弁体１２の一次側通湯用開口部１２ａ及び一次側通水用開口部１２ｂのそれぞれから可動弁体１０の湯水連通開口部１０ａへ湯と水のそれぞれを流入させて混合した湯水を湯水混合水栓装置２の吐水口６ａから吐水させる操作領域である。
【００１７】
なお、本実施形態においては、水側操作領域Ｒ２内の湯水混合操作領域Ｒ３側の領域が、湯水混合水栓装置２の使用頻度が高い正面側の領域に位置しており、操作ハンドル４が正面側のほぼ中央の操作位置Ｐ３に操作したときにも、湯水混合水栓装置２の吐水口６ａから水のみが吐水されるようになっている。
【００１８】
つぎに、図３〜図３０により、本発明の一実施形態による湯水混合バルブ装置の詳細について説明する。
まず、図４は、本発明の一実施形態による湯水混合バルブ装置を示す分解斜視図である。
図４に示すように、本実施形態による湯水混合バルブ装置１は、下方から上方に向って、下側ケーシング部材１４、固定弁体１２、可動弁体１０、網部材１５、可動弁体ガイド部材１６、操作レバー下側保持部材１８、シール部材２０、操作レバー部材２２、上側ケーシング部材２４及び操作レバー上側接続部材２６を備えている。
【００１９】
つぎに、図５は、本発明の一実施形態による湯水混合バルブ装置の下側ケーシング部材と固定弁体を示す平面図である。
図３〜図５に示すように、下側ケーシング部材１４は、湯水混合水栓装置２の内部に上下方向に延びるように形成されている通湯路２ａ及び通水路２ｂの上端（下流側端部）に接続され、下側ケーシング部材１４の内部には、固定弁体１２が固定されている。
【００２０】
また、図４及び図５に示すように、固定弁体１２の後側には、可動弁体１０の湯水連通開口部１０ａ内を通過した湯及び／又は水が通過する二次側開口部１２ｃが一次側通湯用開口部１２ａ及び一次側通水用開口部１２ｂに隣接するように形成されている。この二次側開口部１２ｃの形状は、その全周が閉曲した孔形状ではなく、固定弁体１２の平面視において固定弁体１２の後方側の一部が開放されるように固定弁体１２の後方側の外周の一部を内方に向って切り欠いた形状に形成されている。これにより、全周が閉曲した開口部よりも固定弁体１２の二次側開口部１２ｃの開口断面積（流路断面積）を大きく設定することができるようになっており、固定弁体１２の二次側開口部１２ｃを湯水が通過する際の圧力損失を低減させることができるようになっている。したがって、固定弁体１２の二次側開口部１２ｃは、全周が閉曲した開口に比べて、同一の給水圧でより多くの湯水の流量を確保することができると共に、湯水混合バルブ装置１の全体を小型化することができるようにもなっている。
【００２１】
さらに、下側ケーシング部材１４内の固定弁体１２の二次側開口部１２ｃの下方且つ下側ケーシング部材１４の後端部１４ａに隣接した部分には、固定弁体１２の二次側開口部１２ｃと連通する下側ケーシング部材１４内の湯水混合路１４ｂが形成されている。
【００２２】
また、図５に示すように、固定弁体１２に形成されている一次側通湯用開口部１２ａ及び一次側通水用開口部１２ｂのそれぞれは、湯水混合水栓装置２内の通湯路２ａ及び通水路２ｂのそれぞれと接続されている。
さらに、図５に示すように、固定弁体１２の一次側通湯用開口部１２ａの最も外側の位置（図５の一次側通湯用開口部１２ａの最も左側の位置）から、固定弁体１２の前後方向に延びる中心軸線Ａ２まで垂線を下ろした位置までの最大距離Ｌ１が、固定弁体１２の一次側通水用開口部１２ｂの最も外側の位置（図５の通水路１２ａの最も右側の位置）から固定弁体１２の中心軸線Ａ２まで垂線を下ろした位置までの最大距離Ｌ２よりも小さくなるように、固定弁体１２の一次側通湯用開口部１２ａ及び一次側通水用開口部１２ｂが互いに異なる形状に形成され、且つ固定弁体１２の中心軸線Ａ２に対して互いに非対称に配置されている。
【００２３】
また、図５に示すように、下側ケーシング部材１４の内周側の後端部１４ａに隣接した部分であり且つ固定弁体１２よりも上方部分には、固定弁体１２に対する可動弁体１０の摺動及び回転をガイドするためのガイド手段であるガイド用突起２８が内方に突出するように形成されている。このガイド用突起２８の中心軸線２８ａは、固定弁体１２の前後方向に延びる中心軸線Ａ２の方向に対して水平面内において所定角度αだけ傾いた方向に設定されている。
さらに、この中心軸線Ａ２は、下側ケーシング部材１４の中心Ｏと固定弁体１２の一次側通水用開口部１２ｂの湯側端部１２ｄの近傍を通過している。さらに、下側ケーシング部材１４の中心Ｏの上方には、詳細は後述する可動弁体ガイド部材１６の取付穴１６ａに取り付けられている止水状態における操作レバー部材２２の接続部２２ａの中心点が位置している。すなわち、中心軸線Ａ２は、操作レバー部材２２の接続部２２ａの中心点を中心Ｏに投影させた点と固定弁体１２の一次側通水用開口部１２ｂの湯側端部１２ｄの近傍とを通過している。
【００２４】
つぎに、図６は、本発明の一実施形態による湯水混合バルブ装置の可動弁体と可動弁体ガイド部材を示す平面図である。
図３、図４及び図６に示すように、固定弁体１２上には、可動弁体１０が摺動可能且つ回転可能に設けられている。
また、可動弁体１０上には、固定弁体１２に対する可動弁体１０の摺動及び回転をガイドするための可動弁体ガイド部材１６が固定されている。この可動弁体ガイド部材１６には、可動弁体１０と共に下側ケーシング部材１４内に取り付けられた状態で、下側ケーシング部材１４のガイド用突起２８が挿入されて嵌合可能なガイド溝３０が形成されている。
【００２５】
さらに、図３、図４及び図６に示すように、可動弁体１０と可動弁体ガイド部材１６との間には、網部材１５が設けられており、この網部材１５は、可動弁体１０の湯水連通開口部１０ａの上縁部に沿って取り付けられている。可動弁体１０が開弁した状態では、固定弁体１２の一次側通湯用開口部１２ａ及び一次側通水用開口部１２ｂのそれぞれを通過した湯水は、網部材１５の表面上に沿って可動弁体１０の連通開口部１０ａ内を通過することにより整流化されるようになっており、この可動弁体１０の連通開口部１０ａ内の整流化された湯水が固定弁体１２の二次側開口部１２ｃに流入することができるようになっている。したがって、固定弁体１２の二次側開口部１２ｃを湯水が通過する際の圧力損失を低減させることができるため、同一の給水圧でより多くの湯水の流量を確保することができるようになっており、網部材１５が可動弁体１０の湯水連通開口部１０ａの上縁部に沿って取り付けられていない場合に比べて、網部材１５の表面を通過する湯水に生ずるキャビテーションを抑制し、このようなキャビテーションによって生ずる騒音を抑制することができるようになっている。
なお、本実施形態では、一例として、可動弁体１０と可動弁体ガイド部材１６は、互いに別部材となっているが、可動弁体１０と可動弁体ガイド部材１６を互いに一体的に形成し、一部材とし、可動弁体１０と可動弁体ガイド部材１６との間に網部材１５を取り付けてもよい。
【００２６】
さらに、図３、図４及び図６に示すように、可動弁体ガイド部材１６のほぼ中央部には、操作レバー部材２２の下端部にほぼ半球形状に形成された接続部２２ａが挿入して取り付けられる取付穴１６ａを形成し且つ上方に突出する円筒状の突起部１６ｂが設けられている。
操作レバー部材２２の長手方向の中心軸線Ａ３が鉛直方向に延びた湯水混合水栓装置２の中心軸線Ａ１と一致し、操作レバー部材２２が起立した状態では、可動弁体１０が閉弁した状態となり、固定弁体１２の一次側通湯用開口部１２ａ及び一次側通水用開口部１２ｂの双方が閉鎖された状態になるようになっている。
ここで、図３に示すように可動弁体１０の下面は、固定弁体１２の上面に沿って摺動する摺動面１０ｂとなっており、この摺動面１０ｂに対して垂直な面内で操作レバー部材２２を操作することにより、可動弁体１０の開閉動作が可能となっている。
【００２７】
また、この可動弁体１０が閉弁した状態では、操作レバー部材２２をその中心軸線Ａ３回りに回転させると、操作レバー部材２２の接続部２２ａが可動弁体ガイド部材１６の取付穴１６ａに対して空回りするように、可動弁体ガイド部材１６の取付穴１６ａの平面断面Ｓ１（図６参照）は、操作レバー部材２２の接続部２２ａのほぼ半球形状に対応してほぼ円形の断面形状に形成されている。
一方、操作レバー部材２２の長手方向の中心軸線Ａ３が、上下方向に延びた湯水混合水栓装置２の中心軸線Ａ１に対して所定方向に傾いた状態では、操作レバー部材２２のほぼ半球形状の接続部２２ａが可動弁体ガイド部材１６の取付穴１６ａを所定の水平方向に押圧し、可動弁体１０が可動弁体ガイド部材１６と共に固定弁体１２に対して回転を伴って移動し、可動弁体１０が開弁した状態となり、固定弁体１２の一次側通湯用開口部１２ａ及び一次側通水用開口部１２ｂの少なくとも一方が開放された状態になるようになっている。
【００２８】
また、図４に示すように、操作レバー部材２２と可動弁体ガイド部材１６との間には、操作レバー保持部材１８が介在して設けられている。
操作レバー保持部材１８の中央部には、操作レバー部材２２の接続部２２ａの上方に矩形状に形成された嵌合部２２ｂが挿入されて嵌合される嵌合長穴１８ａが形成され、操作レバー部材２２による可動弁体１０の開閉操作を行っているときには、操作レバー部材２２の嵌合部２２ｂが嵌合長穴１８ａに沿って移動することができるようになっている。
さらに、操作レバー保持部材１８は、操作レバー部材２２をその長手方向の中心軸線Ａ３を中心に所定の回転角度の範囲で回転させたときに、操作レバー部材２２と一体的に所定の回転角度の範囲で回転可能となっている。
【００２９】
図４に示すシール部材２０は、操作レバー部材２２の嵌合部２２ｂよりも上方にボール状に形成された操作レバー部材２２のボール部２２ｃと、上側ケーシング部材２４のほぼ中央部に形成された取付穴２４ａとの間に取り付けられ、上側ケーシング部材２４の内部と外部とを液密的にシールするようになっている。
また、図３及び図４に示す操作レバー上側接続部材２６は、操作レバー部材２２の上方に取り付けられて状態で上方から操作ハンドル４の接続部４ａが取り付けられるようになっている。
【００３０】
つぎに、図７は、本発明の一実施形態による湯水混合バルブ装置を示す側面図であり、操作レバー部材を水側操作領域内の湯水混合操作領域側の操作位置に設定して可動弁体を閉弁させた状態を示す。
また、図８は、図７のＶＩＩＩ−ＶＩＩＩ線に沿った断面図であり、図９は、図７のＩＸ−ＩＸ線に沿った断面図であり、図１０は、図７のＸ−Ｘ線に沿った断面図である。
【００３１】
図１、図２及び図７に示すように、操作レバー部材２２を水側操作領域Ｒ２内の湯水混合操作領域Ｒ３側の操作位置Ｐ３に設定して可動弁体１０を閉弁させた状態では、操作レバー部材２２の長手方向の中心軸線Ａ３が、鉛直方向に延びた湯水混合水栓装置２の中心軸線Ａ１と一致し、操作レバー部材２２が起立した状態となっている。
【００３２】
また、図８に示すように、操作レバー保持部材１８の嵌合長穴１８ａの下方には、操作レバー保持部材１８の下方の中央部から後方に延びる長円形の断面形状のガイド用の長穴１８ｂが形成され、この操作レバー保持部材１８のガイド用の長穴１８ｂにより、可動弁体ガイド部材１６の円筒状の突起部１６ｂがガイドされるようになっている。
さらに、操作レバー部材２２を水側操作領域Ｒ２内の湯水混合操作領域Ｒ３側の操作位置Ｐ３に設定して可動弁体１０を閉弁させた状態では、可動弁体ガイド部材１６の円筒状の突起部１６ｂの外周面の後側領域の一部が操作レバー保持部材１８のガイド穴１８ｂの内周面の後側領域と当接するようになっている。
【００３３】
また、図１、図２、図９及び図１０に示すように、操作レバー部材２２を水側操作領域Ｒ２内の湯水混合操作領域Ｒ３側の操作位置Ｐ３に設定して可動弁体１０を閉弁させた状態では、可動弁体ガイド部材１６及びその下方の可動弁体１０が下側ケーシング部材１４内において全体的に最も後方側に位置し、可動弁体１０が固定弁体１２の一次側通湯用開口部１２ａ及び一次側通水用開口部１２ｂの双方を閉鎖するようになっている。このとき、下側ケーシング部材１４のガイド用突起２８は、図９に示すように、可動弁体ガイド部材１６のガイド溝３０のほぼ全域に亘って挿入されて嵌合されるようになっている。
【００３４】
つぎに、図１１は、本発明の一実施形態による湯水混合バルブ装置を示す側面図であり、操作レバー部材を水側操作領域内の湯水混合操作領域側の操作位置に設定して可動弁体を開弁させた状態を示す。
また、図１２は、図１１のＸＩＩ−ＸＩＩ線に沿った断面図であり、図１３は、図１１のＸＩＩＩ−ＸＩＩＩ線に沿った断面図であり、図１４は、図１１のＸＩＶ−ＸＩＶ線に沿った断面図である。
【００３５】
図１、図２及び図１１に示すように、操作レバー部材２２を水側操作領域Ｒ２内の湯水混合操作領域Ｒ３側の操作位置Ｐ３に設定して可動弁体１０を開弁させた状態では、操作レバー部材２２の長手方向の中心軸線Ａ３が、鉛直方向に延びた湯水混合水栓装置２の中心軸線Ａ１に対して後方側に所定角度βだけ傾いた状態となっている。
【００３６】
また、図１、図２及び図１２に示すように、操作レバー部材２２を水側操作領域Ｒ２内の湯水混合操作領域Ｒ３側の操作位置Ｐ３に設定して可動弁体１０を開弁させた状態では、可動弁体ガイド部材１６の円筒状の突起部１６ｂが操作レバー部材２２の接続部２２ａにより前方側へ押圧され、可動弁体ガイド部材１６の円筒状の突起部１６ｂの外周面の前側領域が操作レバー保持部材１８のガイド穴１８ｂの内周面の前側領域と当接するようになっている。
【００３７】
このとき、図１３及び図１４に示すように、可動弁体ガイド部材１６及びその下方の可動弁体１０は、下側ケーシング部材１４内において全体的に最も前方側に位置し、可動弁体１０が固定弁体１２の一次側通湯用開口部１２ａを閉鎖した状態を維持し、固定弁体１２の一次側通水用開口部１２ｂのみを部分的に開放するようになっている。また、この部分的に開放された固定弁体１２の一次側通水用開口部１２ｂから可動弁体１０の湯水連通部１０ｃを通過した水は、固定弁体１２の二次側開口部１２ｃから下側ケーシング部材１４の湯水混合路１４ｂを流れるようになっている。
【００３８】
また、図１３においては、図９に示されている閉弁状態の可動弁体１０に取り付けられている可動弁体ガイド部材１６の輪郭を鎖線１６’で示しており、閉弁状態から開弁状態への移行中における可動弁体１０に取り付けられている可動弁体ガイド部材１６の輪郭を鎖線１６’’で示している。図１３に示すように、閉弁状態の可動弁体１０の可動弁体ガイド部材１６’が開弁状態の可動弁体１０の可動弁体ガイド部材１６に至るまでには、可動弁体ガイド部材１６のガイド溝３０の一部が、下側ケーシング部材１４のガイド用突起２８に当接しながら、全体的に前方側へ移動すると共に、図１３に矢印Ｂ１で示されている方向の水平面内の回転を伴って、固定弁体１２の通水路１２ａの開口断面積を増加させる方向に移動し、且つ固定弁体１２の前後方向に延びる中心軸線Ａ２に対して可動弁体ガイド部材１６を上方から見て相対的に湯側（固定弁体１２の一次側通湯用開口部１２ａ側）に移動するようになっている。
【００３９】
さらに、図１４においては、図１０に示されている閉弁状態の可動弁体１０の輪郭を鎖線１０’で示しており、閉弁状態から開弁状態への移行中の可動弁体１０の輪郭を鎖線１０’’で示している。図１４に示すように、閉弁状態の可動弁体１０’が開弁状態の可動弁体１０に至るまでには、可動弁体１０が固定弁体１２の一次側通湯用開口部１２ａを閉鎖した状態を維持しながら、可動弁体１０の湯水連通開口部１０ａが固定弁体１２に対して全体的に前方側へ摺動すると共に、図１４に矢印Ｂ２で示されている方向の水平面内の回転を伴って、湯側（固定弁体１２の一次側通湯用開口部１２ａ側）に相対的に移動するようになっている。
【００４０】
つぎに、図１５は、本発明の一実施形態による湯水混合バルブ装置を示す側面図であり、操作レバー部材を水側操作領域内の最も水側の操作位置に設定して可動弁体を閉弁させた状態を示す。
また、図１６は、図１５のＸＶＩ−ＸＶＩ線に沿った断面図であり、図１７は、図１５のＸＶＩＩ−ＸＶＩＩ線に沿った断面図であり、図１８は、図１５のＸＶＩＩＩ−ＸＶＩＩＩ線に沿った断面図である。
【００４１】
図１、図２及び図１５に示すように、操作レバー部材２２を水側操作領域Ｒ２内の最も水側の操作位置Ｐ２に設定して可動弁体１０を閉弁させた状態では、操作レバー部材２２の長手方向の中心軸線Ａ３が、鉛直方向に延びた湯水混合水栓装置２の中心軸線Ａ１と一致し、操作レバー部材２２が起立した状態となっている。
また、図１５においては、図７に示す操作レバー上側接続部材２６の前面２６ａとこの操作レバー上側接続部材２６が取り付けられる操作レバー部材２２の取付部２２ｄの前面２２ｅが、これらの中心軸線Ａ３を中心にその上方から見て左回りに所定角度γだけ回転した状態となっている。
【００４２】
さらに、図１６に示すように、操作レバー保持部材１８は、操作レバー部材２２と一体的にその中心軸線Ａ３を中心に所定角度γだけ回転するようになっており、図１６に示す操作レバー保持部材１８のガイド用の長穴１８ｂの長手方向が、下側ケーシング部材１４の前後方向に延びる中心軸線Ａ２に対して所定角度γだけ傾いている。
また、可動弁体１０が閉弁した状態では、操作レバー部材２２をその中心軸線Ａ３回りに回転させたとしても、操作レバー部材２２の接続部２２ａが可動弁体ガイド部材１６の取付穴１６ａに対して空回りするため、可動弁体１０及び可動弁体ガイド部材１６は中心軸線Ａ３回りに回転しないようになっている。さらに、可動弁体ガイド部材１６の円筒状の突起部１６ｂの外周面における図１６の左斜め後方側領域の一部が操作レバー保持部材１８のガイド穴１８ｂの内周面における図１６の左斜め後方側領域と当接するようになっている。
【００４３】
すなわち、図１、図２、図１７及び図１８に示すように、操作レバー部材２２を水側操作領域Ｒ２内の最も水側の操作位置Ｐ２に設定して可動弁体１０を閉弁させた状態では、図９及び図１０に示す操作レバー部材２２を水側操作領域Ｒ２内の湯水混合操作領域Ｒ３側の操作位置Ｐ３に設定して可動弁体１０を閉弁させた状態と同様に、可動弁体ガイド部材１６及びその下方の可動弁体１０が下側ケーシング部材１４内において全体的に最も後方側に位置し、可動弁体１０が固定弁体１２の一次側通湯用開口部１２ａ及び一次側通水用開口部１２ｂの双方を閉鎖するようになっている。
【００４４】
つぎに、図１９は、本発明の一実施形態による湯水混合バルブ装置を示す側面図であり、操作レバー部材を水側操作領域内の最も水側の操作位置に設定して可動弁体を開弁させた状態を示す。
また、図２０は、図１９のＸＶＩＩＩ−ＸＶＩＩＩ線に沿った断面図であり、図２１は、図１９のＸＸＩ−ＸＸＩ線に沿った断面図であり、図２２は、図１９のＸＸＩＩ−ＸＸＩＩ線に沿った断面図である。
【００４５】
図１、図２及び図１９に示すように、操作レバー部材２２を水側操作領域Ｒ２内の最も水側の操作位置Ｐ２に設定して可動弁体１０を開弁させた状態では、操作レバー部材２２の長手方向の中心軸線Ａ３が、鉛直方向に延びた湯水混合水栓装置２の中心軸線Ａ１に対して斜め後方側に所定角度δだけ傾いた状態となっている。
【００４６】
また、図１、図２及び図２０に示すように、操作レバー部材２２を水側操作領域Ｒ２内の最も水側の操作位置Ｐ２に設定して可動弁体１０を開弁させた状態では、可動弁体ガイド部材１６の円筒状の突起部１６ｂが、操作レバー部材２２の接続部２２ａにより図２０の正面側から見て右斜め前方側へ押圧され、操作レバー保持部材１８のガイド用の長穴１８ｂにより、下側ケーシング部材１４の前後方向に延びる中心軸線Ａ２から所定角度γの方向に移動し、可動弁体ガイド部材１６の円筒状の突起部１６ｂの外周面の図２０の正面側から見て右斜め前方側領域が、操作レバー保持部材１８のガイド穴１８ｂの内周面の右斜め前方側領域と当接するようになっている。
なお、図２０においては、図１７に示す操作レバー部材２２を水側操作領域Ｒ２内の最も水側の操作位置Ｐ２に設定して可動弁体１０を閉弁させた状態の可動弁体ガイド部材１６の突起部１６ｂの輪郭を鎖線１６ｂ’で示している。
【００４７】
つぎに、図２１及び図２２に示すように、可動弁体ガイド部材１６及びその下方の可動弁体１０は、下側ケーシング部材１４内において全体的に図２１及び図２２の右斜め前方側に位置し、可動弁体１０が固定弁体１２の一次側通湯用開口部１２ａを閉鎖した状態を維持し、固定弁体１２の一次側通水用開口部１２ｂのみを部分的に開放するようになっている。また、この部分的に開放された固定弁体１２の一次側通水用開口部１２ｂから可動弁体１０の湯水連通部１０ｃを通過した水は、固定弁体１２の二次側開口部１２ｃから下側ケーシング部材１４の湯水混合路１４ｂを流れるようになっている。
【００４８】
また、図２１においては、図１７に示されている閉弁状態の可動弁体１０に取り付けられている可動弁体ガイド部材１６の輪郭を鎖線１６’で示しており、閉弁状態から開弁状態への移行中における可動弁体１０に取り付けられている可動弁体ガイド部材１６の輪郭を鎖線１６’’で示している。図２１に示すように、閉弁状態の可動弁体１０の可動弁体ガイド部材１６’が開弁状態の可動弁体１０の可動弁体ガイド部材１６に至るまでには、可動弁体ガイド部材１６のガイド溝３０の一部が、下側ケーシング部材１４のガイド用突起２８に当接しながら、全体的に図２１の正面側から見て右斜め前方側へ移動すると共に、図２１に矢印Ｄ１で示されている方向の水平面内の回転を伴って、固定弁体１２の前後方向に延びる中心軸線Ａ２に対して可動弁体ガイド部材１６を上方から見て相対的に水側（固定弁体１２の一次側通水用開口部１２ｂ側）に移動するようになっている。
【００４９】
さらに、図２２においては、図１８に示されている閉弁状態の可動弁体１０の輪郭を鎖線１０’で示しており、閉弁状態から開弁状態への移行中の可動弁体１０の輪郭を鎖線１０’’で示している。図２２に示すように、閉弁状態の可動弁体１０’が開弁状態の可動弁体１０に至るまでには、可動弁体１０が固定弁体１２の一次側通湯用開口部１２ａを閉鎖した状態を維持しながら、可動弁体１０の湯水連通開口部１０ａが固定弁体１２に対して全体的に図２２の正面側から見て右斜め前方側へ摺動すると共に、図２２に矢印Ｄ２で示されている方向の水平面内の回転を伴って、水側（固定弁体１２の一次側通水用開口部１２ｂ側）に相対的に移動するようになっている。
【００５０】
つぎに、図２３は、本発明の一実施形態による湯水混合バルブ装置を示す側面図であり、操作レバー部材を湯側操作領域内の最も湯側の操作位置に設定して可動弁体を閉弁させた状態を示す。
また、図２４は、図２３のＸＸＩＶ−ＸＸＩＶ線に沿った断面図であり、図２５は、図２３のＸＸＶ−ＸＸＶ線に沿った断面図であり、図２６は、図２３のＸＸＶＩ−ＸＸＶＩ線に沿った断面図である。
【００５１】
図１、図２及び図２３に示すように、操作レバー部材２２を湯側操作領域Ｒ１内の最も湯側の操作位置Ｐ１に設定して可動弁体１０を閉弁させた状態では、操作レバー部材２２の長手方向の中心軸線Ａ３が、鉛直方向に延びた湯水混合水栓装置２の中心軸線Ａ１と一致し、操作レバー部材２２が起立した状態となっている。
また、図２３においては、図７に示す操作レバー上側接続部材２６の前面２６ａとこの操作レバー上側接続部材２６が取り付けられる操作レバー部材２２の取付部２２ｄの前面２２ｅが、これらの中心軸線Ａ３を中心にその上方から見て右回りに所定角度εだけ回転した状態となっている。
【００５２】
さらに、図２４に示すように、操作レバー保持部材１８は、操作レバー部材２２と一体的にその中心軸線Ａ３を中心に所定角度εだけ回転するようになっており、図２４に示す操作レバー保持部材１８のガイド用の長穴１８ｂの長手方向が、下側ケーシング部材１４の前後方向に延びる中心軸線Ａ２に対して所定角度εだけ傾いている。
また、可動弁体１０が閉弁した状態では、操作レバー部材２２をその中心軸線Ａ３回りに回転させたとしても、操作レバー部材２２の接続部２２ａが可動弁体ガイド部材１６の取付穴１６ａに対して空回りするため、可動弁体１０及び可動弁体ガイド部材１６は中心軸線Ａ３回りに回転しないようになっている。
さらに、可動弁体ガイド部材１６の円筒状の突起部１６ｂの外周面における図２４の正面側から見て左斜め後方側領域及び右斜め前方側領域の一部が、操作レバー保持部材１８のガイド穴１８ｂの内周面における図２４の正面側から見て左斜め後方側領域及び右斜め前方側領域の一部とそれぞれ当接するようになっている。
【００５３】
すなわち、図１、図２、図２５及び図２６に示すように、操作レバー部材２２を湯側操作領域Ｒ１内の最も湯側の操作位置Ｐ１に設定して可動弁体１０を閉弁させた状態では、図９及び図１０に示す操作レバー部材２２を水側操作領域Ｒ２内の湯水混合操作領域Ｒ３側の操作位置Ｐ３に設定して可動弁体１０を閉弁させた状態や、図１７及び図１８に示す操作レバー部材２２を水側操作領域Ｒ２内の最も水側の操作位置Ｐ２に設定して可動弁体１０を閉弁させた状態と同様に、可動弁体ガイド部材１６及びその下方の可動弁体１０が下側ケーシング部材１４内において全体的に最も後方側に位置し、可動弁体１０が固定弁体１２の一次側通湯用開口部１２ａ及び一次側通水用開口部１２ｂの双方を閉鎖するようになっている。
【００５４】
つぎに、図２７は、本発明の一実施形態による湯水混合バルブ装置を示す側面図であり、操作レバー部材を湯側操作領域内の最も湯側の操作位置に設定して可動弁体を開弁させた状態を示す。
また、図２８は、図２７のＸＸＶＩＩＩ−ＸＸＶＩＩＩ線に沿った断面図であり、図２９は、図２７のＸＸＩＸ−ＸＸＩＸ線に沿った断面図であり、図３０は、図２７のＸＸＸ−ＸＸＸ線に沿った断面図である。
【００５５】
図１、図２及び図２７に示すように、操作レバー部材２２を湯側操作領域Ｒ２内の最も湯側の操作位置Ｐ１に設定して可動弁体１０を開弁させた状態では、操作レバー部材２２の長手方向の中心軸線Ａ３が、鉛直方向に延びた湯水混合水栓装置２の中心軸線Ａ１に対して斜め後方側に所定角度ζだけ傾いた状態となっている。
【００５６】
また、図１、図２及び図２８に示すように、操作レバー部材２２を湯側操作領域Ｒ２内の最も湯側の操作位置Ｐ１に設定して可動弁体１０を開弁させた状態では、可動弁体ガイド部材１６の円筒状の突起部１６ｂが、操作レバー部材２２の接続部２２ａにより図２８の左斜め前方側へ押圧され、操作レバー保持部材１８のガイド用の長穴１８ｂにより、下側ケーシング部材１４の前後方向に延びる中心軸線Ａ２から所定角度εの方向に移動し、可動弁体ガイド部材１６の円筒状の突起部１６ｂの外周面における図２８の正面側から見て左斜め前方側領域が、操作レバー保持部材１８のガイド穴１８ｂの内周面における図２８の正面側から見て左斜め前方側領域と当接するようになっている。
なお、図２８においては、図２４に示す操作レバー部材２２を湯側操作領域Ｒ１内の最も湯側の操作位置Ｐ１に設定して可動弁体１０を閉弁させた状態の可動弁体ガイド部材１６の突起部１６ｂの輪郭を鎖線１６ｂ’で示している。
【００５７】
つぎに、図２９及び図３０に示すように、可動弁体ガイド部材１６及びその下方の可動弁体１０は、下側ケーシング部材１４内において全体的に図２９及び図３０の正面側から見て左斜め前方側に位置し、可動弁体１０が固定弁体１２の一次側通水用開口部１２ｂを閉鎖した状態を維持し、固定弁体１２の一次側通湯用開口部１２ａのみを部分的に開放するようになっている。また、この部分的に開放された固定弁体１２の一次側通湯用開口部１２ａから可動弁体１０の湯水連通部１０ｃを通過した湯は、固定弁体１２の二次側開口部１２ｃから下側ケーシング部材１４の湯水混合路１４ｂを流れるようになっている。
【００５８】
また、図２９においては、図２５に示されている閉弁状態の可動弁体１０に取り付けられている可動弁体ガイド部材１６の輪郭を鎖線１６’で示しており、閉弁状態から開弁状態への移行中における可動弁体１０に取り付けられている可動弁体ガイド部材１６の輪郭を鎖線１６’’で示している。図２５に示すように、閉弁状態の可動弁体１０の可動弁体ガイド部材１６’が開弁状態の可動弁体１０の可動弁体ガイド部材１６に至るまでには、可動弁体ガイド部材１６のガイド溝３０の一部が、下側ケーシング部材１４のガイド用突起２８に当接しながら、全体的に図２５の正面側から見て左斜め前方側へ移動すると共に、図２９に矢印Ｅ１で示されている方向の水平面内の回転を伴って、固定弁体１２の前後方向に延びる中心軸線Ａ２に対して可動弁体ガイド部材１６を上方から見て相対的に湯側（固定弁体１２の一次側通湯用開口部１２ａ側）に移動するようになっている。
【００５９】
さらに、図３０においては、図２６に示されている閉弁状態の可動弁体１０の輪郭を鎖線１０’で示しており、閉弁状態から開弁状態への移行中の可動弁体１０の輪郭を鎖線１０’’で示している。図３０に示すように、閉弁状態の可動弁体１０’が開弁状態の可動弁体１０に至るまでには、可動弁体１０が固定弁体１２の一次側通水用開口部１２ｂを閉鎖した状態を維持しながら、可動弁体１０の湯水連通開口部１０ａが固定弁体１２に対して全体的に図２２の正面側から見て左斜め前方側へ摺動すると共に、図３０に矢印Ｅ２で示されている方向の水平面内の回転を伴って、湯側（固定弁体１２の一次側通湯用開口部１２ａ側）に相対的に移動するようになっている。
【００６０】
つぎに、上述した本発明の一実施形態による湯水混合バルブ装置１の動作（作用）について説明する。
湯水混合水栓装置２を使用する際、図１及び図２に示すように、湯水混合水栓装置２の操作ハンドル４をその中心軸線Ａ１回りに回転操作し、使用頻度が高い湯水混合水栓装置２の正面側のほぼ中央の操作位置Ｐ３に設定し、操作ハンドル４を矢印「開」の方向に操作した場合には、図１１〜図１４に示すように、湯水混合バルブ装置１の操作レバー部材２２の操作により、可動弁体１０が固定弁体１２に対して湯側への回転を伴って摺動し、固定弁体１２の一次側通湯用開口部１２ａを閉鎖した状態を維持しながら、固定弁体１２の一次側通水用開口部１２ｂのみを開放する。そして、固定弁体１２の一次側通水用開口部１２ｂから網部材１５及び可動弁体１０の湯水連通開口部１０ａを通過した水は、固定弁体１２の二次側開口部１２ｃを経て、湯水混合水栓装置２のスパウト６の吐水口６ａから吐水される。
【００６１】
また、操作ハンドル４を水側（図１及び図２に示す矢印Ｃの方向）に回動操作して操作位置Ｐ２に設定し、操作ハンドル４を矢印「開」の方向に操作した場合には、図１９〜図２２に示すように、湯水混合バルブ装置１の操作レバー部材２２の操作により、可動弁体１０が固定弁体１２に対して水側への回転を伴って摺動し、固定弁体１２の一次側通湯用開口部１２ａを閉鎖した状態を維持しながら、固定弁体１２の一次側通水用開口部１２ｂのみを開放する。そして、固定弁体１２の一次側通水用開口部１２ｂから網部材１５及び可動弁体１０の湯水連通開口部１０ａを通過した水が、固定弁体１２の二次側開口部１２ｃを経て、湯水混合水栓装置２のスパウト６の吐水口６ａから吐水される。
【００６２】
さらに、操作ハンドル４を湯側（図１及び図２に示す矢印Ｈの方向）に回動操作して操作位置Ｐ１に設定し、操作ハンドル４を矢印「開」の方向に操作した場合には、図２６〜図３０に示すように、湯水混合バルブ装置１の操作レバー部材２２の操作により、可動弁体１０が固定弁体１２に対して湯側への回転を伴って摺動し、固定弁体１２の一次側通水用開口部１２ｂを閉鎖した状態を維持しながら、固定弁体１２の一次側通湯用開口部１２ａのみを開放する。そして、固定弁体１２の一次側通湯用開口部１２ａから網部材１５及び可動弁体１０の湯水連通開口部１０ａを通過した湯が、固定弁体１２の二次側開口部１２ｃを経て、湯水混合水栓装置２のスパウト６の吐水口６ａから吐水される。
【００６３】
また、操作ハンドル４を湯側（図１及び図２に示す矢印Ｈの方向）に回動操作して操作位置Ｐ１と操作位置Ｐ３との間の湯水混合操作領域Ｒ３の操作位置に設定し、操作ハンドル４を矢印「開」の方向に操作した場合には、湯水混合バルブ装置１の操作レバー部材２２の操作により、可動弁体１０が固定弁体１２に対して湯側への回転を伴って摺動し、固定弁体１２の一次側通湯用開口部１２ａ及び一次側通水用開口部１２ｂの双方を開放する。そして、固定弁体１２の一次側通湯用開口部１２ａ及び一次側通水用開口部１２ｂのそれぞれから流出して網部材１５の表面を通過し、可動弁体１０の湯水連通開口部１０ａで混合された湯水が、固定弁体１２の二次側開口部１２ｃを経て、湯水混合水栓装置２のスパウト６の吐水口６ａから吐水される。
【００６４】
上述した本発明の一実施形態による湯水混合バルブ装置１によれば、操作レバー部材２２により可動弁体１０を開弁させた状態では、固定弁体１２の一次側通湯用開口部１２ａ及び一次側通水用開口部１２ｂのそれぞれを通過した湯水は、網部材１５を経て可動弁体１０の湯水連通開口部１０ａを経て固定弁体１２の二次側開口部１２ｃに流入し、下側ケーシング部材１４の湯水混合路１４ｂを経て湯水混合水栓装置２の吐水口６ａへ流れる。このとき、固定弁体１２の二次側開口部１２ｃが、その全周が閉曲した孔形状ではなく、固定弁体１２の平面視において固定弁体１２の後方側の一部が開放されるように固定弁体１２の後方側の外周の一部を内方に向って切り欠いた形状に形成されていることにより、全周が閉曲した開口部よりも固定弁体１２の二次側開口部１２ｃの開口断面積（流路断面積）を大きく設定することができる。したがって、固定弁体１２の二次側開口部１２ｃを湯水が通過する際の圧力損失を低減させることができるため、固定弁体１２の二次側開口部１２ｃの全周が閉曲した開口に比べて、同一の給水圧でより多くの湯水の流量を確保することができると共に、湯水混合バルブ装置１の全体を小型化することができる。
【００６５】
また、本実施形態による湯水混合バルブ装置１によれば、可動弁体１０が開弁した状態では、固定弁体１２の一次側通湯用開口部１２ａ及び一次側通水用開口部１２ｂのそれぞれを通過した湯水は、網部材１５の表面上に沿って可動弁体１０の連通開口部１０ａ内を通過することにより整流化され、固定弁体１２の二次側開口部１２ｃに流入することができる。したがって、固定弁体１２の二次側開口部１２ｃを湯水が通過する際の圧力損失を低減させることができるため、同一の給水圧でより多くの湯水の流量を確保することができ、網部材１５が可動弁体１０の湯水連通開口部１０ａの上縁部に沿って取り付けられていない場合に比べて、網部材１５の表面を通過する湯水に生ずるキャビテーションを抑制し、このようなキャビテーションによって生ずる騒音を抑制することができる。
【符号の説明】
【００６６】
１    湯水混合バルブ装置
２    湯水混合水栓装置
２ａ  通湯路
２ｂ  通水路
４    操作ハンドル
４ａ  操作ハンドルの接続部
６    スパウト
６ａ  吐水口
８    カウンター
１０    可動弁体
１０ａ  湯水連通開口部
１０ｂ  可動弁体の摺動面
１２    固定弁体
１２ａ  一次側通湯用開口部
１２ｂ  一次側通水用開口部
１２ｃ  二次側開口部
１２ｄ  通水路の湯側端部
１４    下側ケーシング部材（ケーシング）
１４ａ  後端部
１４ｂ  湯水混合路
１５    網部材
１６    可動弁体ガイド部材
１６ａ  取付穴
１６ｂ  突起部
１８    操作レバー保持部材
１８ａ  嵌合長穴
１８ｂ  ガイド用の長穴
２０    シール部材
２２    操作レバー部材（操作部）
２２ａ  接続部
２２ｂ  嵌合部
２２ｃ  ボール部
２２ｄ  取付部
２２ｅ  前面
２４    上側ケーシング部材
２４ａ  取付穴
２６    操作レバー上側接続部材（操作部）
２６ａ  前面
２８    ガイド用突起
２８ａ  ガイド用突起の中心軸線
３０    ガイド溝
【図１】
2014015980.tif 000003
【図２】
2014015980.tif 000004
【図３】
2014015980.tif 000005
【図４】
2014015980.tif 000006
【図５】
2014015980.tif 000007
【図６】
2014015980.tif 000008
【図７】
2014015980.tif 000009
【図８】
2014015980.tif 000010
【図９】
2014015980.tif 000011
【図１０】
2014015980.tif 000012
【図１１】
2014015980.tif 000013
【図１２】
2014015980.tif 000014
【図１３】
2014015980.tif 000015
【図１４】
2014015980.tif 000016
【図１５】
2014015980.tif 000017
【図１６】
2014015980.tif 000018
【図１７】
2014015980.tif 000019
【図１８】
2014015980.tif 000020
【図１９】
2014015980.tif 000021
【図２０】
2014015980.tif 000022
【図２１】
2014015980.tif 000023
【図２２】
2014015980.tif 000024
【図２３】
2014015980.tif 000025
【図２４】
2014015980.tif 000026
【図２５】
2014015980.tif 000027
【図２６】
2014015980.tif 000028
【図２７】
2014015980.tif 000029
【図２８】
2014015980.tif 000030
【図２９】
2014015980.tif 000031
【図３０】
2014015980.tif 000032